(57)【特許請求の範囲】
【請求項１】
ケースから突出するスプロケット軸の軸頭の外周にソーチェンを駆動するソースプロケットを螺合して固定した枝打機におけるソースプロケット固定構造において、スプロケット軸の軸尾をケース外に突出させてその突出部分の外周を六角形部とするとともに、六角形部の外周部分を取り外し可能なカバーで覆ったことを特徴とするソースプロケット固定構造。
【請求項２】
スプロケット軸でソーチェンに潤滑油を供給するポンプを駆動する請求項１記載の枝打機におけるソースプロケット固定構造。
【発明の詳細な説明】
【０００１】
【産業上の利用分野】
本発明は、植林等した木の不必要な枝を切り払う枝打機におけるソースプロケット固定構造に関するものである。
【０００２】
【従来の技術】
フレームに、起立して木の幹に沿うソーチェンと、木の幹に周囲から接当する駆動輪及び遊動輪と、動力源であるエンジン等を装備し、エンジンの動力で駆動輪を駆動して木の幹を登らせるとともに、ソーチェンを駆動して途中の枝を切り払う枝打機は知られている（例えば、実開昭６２−０８６８６６号等）。
【０００３】
ソーチェンはソースプロケットで駆動されるが、使用に伴って磨耗する。ソーチェンが磨耗すると、交換することになるが、この場合、スプロケット軸に対するソースプロケットの取付けに工夫を要す。一般に、この種の枝打機は軽量にする必要があることから、ソースプロケットを取り付けるスプロケット軸も極力細くしてあり、キーやスプラインの構造をとることができない。
【０００４】
多くの場合、スプロケット軸の軸頭に螺合する構造をとっているが、このとき、ソーチェンにかかる抵抗は螺子を締め付ける方向に設定してある。従って、この螺合を解くときには非常に大きな力を要し、スプロケット軸を固定しておいてソースプロケットを大きな力で回すしかなかった。このため、従来は、スプロケット軸の軸頭端面に六角穴を形成し、これにレンチを挿通してソースプロケットをスパナで回していた。
【０００５】
【発明が解決しようとする課題】
しかし、スプロケット軸の小径に関連して六角穴の径は大きなものとすることができないため、レンチにかかる力で六角穴の角が潰れることがあった。
本発明は、このような課題を解決するものであり、六角穴に代えてスプロケット軸の外周を六角形とし、大きな力に耐え得るようにしたものである。
【０００６】
【課題を解決するための手段】
以上の課題の下、本発明は、ケースから突出するスプロケット軸の軸頭の外周にソーチェンを駆動するソースプロケットを螺合して固定した枝打機におけるソースプロケット固定構造において、スプロケット軸の軸尾をケース外に突出させてその突出部分の外周を六角形部とするとともに、六角形部の外周部分を取り外し可能なカバーで覆ったことを特徴とするソースプロケット固定構造を提供するのである。
【０００７】
又、本発明は、以上の手段において、スプロケット軸でソーチェンに潤滑油を供給するポンプを駆動する手段を提供する。
【０００８】
【発明の実施の形態】
以下、本発明の実施の形態を図面を参照して説明する。図４は枝打機の側面図、図５は平面図であるが、この枝打機は、木の幹１０を取り囲む形態で設けられたフレーム１２に内燃機関型エンジン１４を取り付け、エンジン１４の動力をミッション１６を介して幹１０に接当するように設けられた駆動輪１８や幹１０に平行に沿うよう設けられたソーチェン２０に伝えるものである。
【０００９】
尚、フレーム１２には遊動輪２２も取り付けられており、駆動輪１８と遊動輪２２とは幹１０を取り囲むように周囲から接当している。この場合の駆動輪１８及び遊動輪２２はそれぞれ上下二段に構成されているとともに、各々は幹１０の軸心に対して斜めに向設されている。
【００１０】
これにより、エンジン１４を作動させて駆動輪１８を駆動すれば、枝打機は駆動輪１８の向きに沿って幹１０の回りを螺旋形に登る。従って、この間、ソーチェン２０を駆動すれば、途中にある枝を切り払う。枝打機が予め設定された高さを登り切ると、ミッション１６の正逆回転機構が切り替わって駆動輪１８は逆回転し、枝打機は下降する。
【００１１】
図１はソーチェン２０の駆動系統の断面図、図２は正面図、図３は後面図であるが、フレーム１２からケース２２を起立させ、ケース２２に軸頭及び軸尾をケース２２から突出させたスプロケット軸２４を軸装するとともに、軸頭外周に螺子部２４ａを形成し、この螺子部２４ａにソースプロケット２６を螺合して固定する。尚、スプロケット軸２４にはミッション１６から分岐された駆動軸２８でベベルギア機構３０等を介して動力が伝達される。
【００１２】
ケース２２外へ突出しているスプロケット軸２４の軸尾には軸端を余してウォーム３２を固嵌し、余した部分の外周を六角形部２４ｂに形成するとともに、この部分にカバー３４を被せ、このカバー３４をスプロケット軸２４に螺入されるボルトでウォーム３２に押し付けて止めておく。六角形部２４ｂを傷付けないためと、ウォーム３２の固定のためである。ウォーム３２には潤滑油を吐出するポンプ３６を駆動するウォームホイル３８が噛み合っており、ポンプ３６を収容するポンプケース４０はケース２２の後面に六角形部２４ｂを覗かせて縫い付けられている。尚、ポンプから吐出される潤滑油はケース２２に形成された油路（図示省略）を通ってソーチェン２０に供給される。
【００１３】
ソーチェン２０はソースプロケット２６でガイド板４２の周囲を周回させられる通常構造のものである。ソーチェン２０及びソースプロケット２６は使用に伴って磨耗するが、ソースプロケット２６の方が周長が短いこともあってより磨耗が激しい。従って、適当な時期にはこれを交換しなければならない。
【００１４】
それには、ソースプロケット２６の外周に形成されているノッチ２６ａに専用スパナ４４を掛け、スパナ４４を回してスプロケット軸２４との螺合を解かなければならない。しかし、前述したように、ソーチェン２０の抵抗はこの螺子を締め付ける方向に設定されているため、螺合の解放はなかなか容易ではない。そこで、前述したカバー３４を外し、この内方にあるスプロケット軸２４の六角形部２４ｂにもスパナ４６を掛け、両スパナ４４、４６を手で持って互いに離反する方向に回して螺合を解くのである。
【００１５】
【発明の効果】
以上、本発明は、ソースプロケットを取り付けるスプロケット軸の外周に六角形部を形成し、これに一方のスパナを掛けるようにしたものであるから、小径のスプロケット軸であるにもかかわらず、六角形部が損傷したりしない。又、両スパナはケースの間隔だけ離れているから、回すときに力が入り易い。これらのことから、ソースプロケットの交換が円滑、省力的にできる。
【図面の簡単な説明】
【図１】  本発明の一例を示す枝打機のソーチェンの駆動系統の断面図である。
【図２】  本発明の一例を示す枝打機のソーチェンの駆動系統の正面図である。
【図３】  本発明の一例を示す枝打機のソーチェンの駆動系統の後面図である。
【図４】  本発明の一例を示す枝打機の正面図である。
【図５】  本発明の一例を示す枝打機の平面図である。
【符号の説明】
２０  ソーチェン
２２  ケース
２４  スプロケット軸
２４ｂ      〃      に形成された六角形部
２６  ソースプロケット
３４  カバー
【図２】
0003681229.tif 000002
【図３】
0003681229.tif 000003
【図４】
0003681229.tif 000004
【図５】
0003681229.tif 000005
【図１】
0003681229.tif 000006